(57)【特許請求の範囲】
【請求項１】
折り部を介して第１の紙片と第２の紙片と第３の紙片の３紙片が順に連接され、前記第２の紙片の一部に切り取り予定線により切り取り可能なカード部が設けられている第１基材シートと、
前記第１の紙片と前記第２の紙片の裏面に接着され、前記第１の紙片及び前記第２の紙片と略同じ大きさを有する第２基材シートと、
前記第３の紙片の裏面に擬似接着剤層を介して接着され、前記第３の紙片と略同じ大きさを有するラミネート用基材と、が設けられ、
前記ラミネート用基材の裏面には、粘着剤層が設けられ、
前記粘着剤層の裏面には、表面に離型剤層が設けられた剥離用シートが剥離可能に貼付され、
さらに、前記ラミネート用基材には、前記第３の紙片から前記剥離用シートを剥離させ、前記折り部から前記第３の紙片を前記第２の紙片の裏面側に折り畳んだ状態とした場合に、前記第２の紙片に形成された切り取り予定線と重なる部分にスリットが形成されていることを特徴とするカード付き封書用シート。
【請求項２】
前記第１の紙片と重なる前記第２基材シートの表面であって、前記折り部側を除く他の三周縁部には粘着剤層が設けられ、前記粘着剤層と重なる前記第１の紙片の裏面領域には離型剤層が設けられ、
前記第１の紙片には、前記離型剤層が設けられた部分を分離するスリットが形成されていることを特徴とする請求項１記載のカード付き封書用シート。
【請求項３】
前記第１基材シートと前記第２基材シートには、前記折り部から前記第１の紙片と前記第２の紙片と前記第３の紙片をＺ状に重ね合わせて、前記第２基材シートに設けられた粘着剤層と前記ラミネート用基材の裏面に設けられた粘着剤層により接着させた場合に、重ね合わせた三周縁部分を切り取るための切り取りミシン目が形成されていることを特徴とする請求項２記載のカード付き封書用シート。
【請求項４】
前記第２の紙片に形成されたカード部の切り取り予定線の一部であって、カード部の角部分にスリットが形成されていることを特徴とする請求項１〜３のいずれか一項に記載のカード付き封書用シート。
【請求項５】
前記切り取り予定線が切り取り用ミシン目であることを特徴とする請求項１〜４のいずれか一項に記載のカード付き封書用シート。
【発明の詳細な説明】
【技術分野】
【０００１】
本発明は、折り部を介して３紙片が順に連接され、その紙片の一部にカード部を有し、前記折り部から折り畳んで封書を作成するためのカード付き封書用シートに関する。
【背景技術】
【０００２】
従来、カードを封書で送る場合には、封書内に、剥離可能な状態でカードを接着したカード台紙を入れて郵送したり、または所定部分に切り込みや抜き部を形成したカード台紙を用意して、その切り込みや抜き部にカードの角部を差し込んで、カード台紙を封書に入れて郵送するなどしていた。
【０００３】
また、従来からプラスチック製でない簡易なカードを発行、郵送する場合において、既にカード台紙の一部をカードとして構成する形態のものについては知られている。（例えば、特許文献１〜３、参照）
しかしながら、従来のカード送付では、カード台紙の他に封書が必要であったり、封書を作成する際に所定部分に糊付けが必要であったり、またカードを郵送するための封書用紙に予め感圧性の接着剤や感熱性の接着剤を塗布させておいて、それらの接着剤で接着させる構成のものがあるが、それらは感圧装置や感熱装置などが必要であった。
【０００４】
しかしながら、カード台紙の他に封書が必要である場合には、カード台紙と、宛先が印字された封書とをマッチングする際にマッチングミスの危険性がある。
また封書を作成する時に糊付けが必要な場合には手間がかかり、更に、感圧装置や感熱装置などが必要な場合には、コストもかかり、また必要に応じて1枚毎カードの発行を行う場合には適さないという問題がある。
これら発行されるカードの用途として、様々な用途があるが、例えば、企業が臨時に派遣社員、パート、アルバイトなどを雇用する際に、所定期間だけ勤務時に携帯させたい従業員カードを発行する場合に、短期間で少量のカードをその都度に必要な枚数だけ発行する必要がある。
【０００５】
この場合には、カード製造発行メーカーに製造発送を依頼するよりも、その雇用先の企業において、簡易にカードを発行、郵送できるようにした方が、効率面やコスト面でも好ましいこともあるが、従来、簡易にカードを作成し、発行、郵送できるようなカード付き封書用シートがないという問題がある。
【先行技術文献】
【特許文献】
【０００６】
【特許文献１】特開平９−２９５４７６号公報
【特許文献２】特開平１１−１６１１７９号公報
【特許文献３】特開２００３−２６０８８７号公報
【発明の概要】
【発明が解決しようとする課題】
【０００７】
そこで、本発明は、カード台紙と封書とのマッチングミスの危険性もなく、また糊付け作業や感圧装置や感熱装置などの装置を用意する必要もなく、カードを発行する企業側で簡単に必要な枚数の丈夫なカードを作成して、短時間で郵送処理を行えるようにしたカード付き封書用シートを提供する。
【課題を解決するための手段】
【０００８】
本発明のカード付き封書用シートは、折り部を介して第１の紙片と第２の紙片と第３の紙片の３紙片が順に連接され、前記第２の紙片の一部に切り取り予定線により切り取り可能なカード部が設けられている第１基材シートと、前記第１の紙片と前記第２の紙片の裏面に接着され、前記第１の紙片及び前記第２の紙片と略同じ大きさを有する第２基材シートと、前記第３の紙片の裏面に擬似接着剤層を介して接着され、前記第３の紙片と略同じ大きさを有するラミネート用基材と、が設けられ、前記ラミネート用基材の裏面には、粘着剤層が設けられ、前記粘着剤層の裏面には、表面に離型剤層が設けられた剥離用シートが剥離可能に貼付され、さらに、前記ラミネート用基材には、前記第３の紙片から前記剥離用シートを剥離させ、前記折り部から前記第３の紙片を前記第２の紙片の裏面側に折り畳んだ状態とした場合に、前記第２の紙片に形成された切り取り予定線と重なる部分にスリットが形成されていることを特徴とする。
【０００９】
また、本発明のカード付き封書用シートは、前記第１の紙片と重なる前記第２基材シートの表面であって、前記折り部側を除く他の三周縁部には粘着剤層が設けられ、前記粘着剤層と重なる前記第１の紙片の裏面領域には離型剤層が設けられ、前記第１の紙片には、前記離型剤層が設けられた部分を分離するスリットが形成されていることを特徴とする。
【００１０】
更に、本発明のカード付き封書用シートは、前記第１基材シートと前記第２基材シートには、前記折り部から前記第１の紙片と前記第２の紙片と前記第３の紙片をＺ状に重ね合わせて、前記第２基材シートに設けられた粘着剤層と前記ラミネート用基材の裏面に設けられた粘着剤層により接着させた場合に、重ね合わせた三周縁部分を切り取るための切り取りミシン目が形成されていることを特徴とする。
【００１１】
また、本発明のカード付き封書用シートは、前記第２の紙片に形成されたカード部の切り取り予定線の一部であって、カード部の角部分にスリットが形成されていることを特徴とする。
【００１２】
更に、本発明のカード付き封書用シートは、前記切り取り予定線が切り取り用ミシン目であることを特徴とする。
【発明の効果】
【００１３】
したがって、本発明のカード付き封書用シートは、１つの封書用の基材シートに宛先情報とカード使用者情報とをプリンタで印字して折り重ねて封書を作成するので、カード台紙と封書とのマッチングミスの危険性もなく、また、郵送の際にも、紙片の三周辺のスリットが形成された部分から外側の部分を剥離させて、封書用紙を３つ折りし、予め設けられている粘着剤層により簡単に封書を作成できるので、カードを発行する企業側で必要に応じて簡単に必要な枚数のカードを作成し、短時間で郵送処理が行えるという効果がある。
【００１４】
また、本発明のカード付き封書用シートは、切り取りミシン目で囲まれたカード部をめくり上げた場合に、紙片の裏面側に接着されたラミネート用基材がカードとして一体化された状態で分離できるので、使用時に簡単に破損しない丈夫なカードを発行することができるという効果がある。
【００１５】
また、本発明のカード付き封書用シートは、第２の紙片に形成されたカード部の切り取り用ミシン目の一部であって、カード部の角部分にスリットが形成されているので、第２の紙片からカード部を簡単に切り取ることができるという効果がある。
【図面の簡単な説明】
【００１６】
【図１】本発明の実施形態に係るカード付き封書用シートの表面側の平面図である。
【図２】本発明の実施形態に係るカード付き封書用シートの裏面側の平面図である。
【図３】図１のＡ−Ａ線断面図である。
【図４】本発明の実施形態に係るカード付き封書用シートであって、第１基材シートから第２基材シートとラミネート用基材及び剥離用シートを分離させた状態を示す平面図である。
【図５】本発明の実施形態に係るカード付き封書用シートであって、第１基材シートから第２基材シートの一部と剥離用シートを分離させた状態を示す平面図である。
【図６】本発明の実施形態に係るカード付き封書用シートであって、第１基材シートから第２基材シートの一部と剥離用シートを分離させた状態を示す断面図である。
【図７】本発明の実施形態に係るカード付き封書用シートから、第２基材シートの一部と剥離用シートを分離させた後に、２つの折り部からＺ状に折り畳んで接着させて封書を作成した後の断面図である。
【図８】本発明の実施形態に係るカード付き封書用シートを重ね合わせて作成した封書を、重ね合わせた三周縁部分を切り取った後に第１の紙片を第２の紙片から見開いた状態を示す断面図である。
【図９】図８に示した状態から、カード部を切り取った状態を示す断面図である。
【図１０】本発明の実施形態に係るカード付き封書用シートを重ね合わせて作成した封書を、重ね合わせた三周縁部分を切り取った後に第１の紙片を第２の紙片から見開いて、カード部を切り取った状態を示す平面図である。
【発明を実施するための形態】
【００１７】
以下、本発明の実施形態に係るカード付き封書用シートを図面に基づいて詳細に説明する。
図１乃至図４に示すように、本発明の実施形態に係るカード付き封書用シート１は、縦方向にミシン目が形成された２つの折り部２ａ，２ｂを介して第１の紙片３ａと第２の紙片３ｂと第３の紙片３ｃの３紙片が横方向に順番に連接された第１基材シート３を有し、その第１基材シート３の前記第２の紙片３ｂの一部には、切り取り可能な状態でカード部４が設けられている。
【００１８】
この第２の紙片３ｂの一部に設けられたカード部４は、切り取り可能とするためにカード部４の周囲に切り取り予定線として切り取りミシン目５が形成され、その切り取りミシン目５からカード部４が切り取れるようになっている。
また、カード部４の周囲に形成された切り取り用ミシン目５の一部であって、カード部の角部分に該当する部分には、スリット６が形成されている。
このカード部４の角部分に該当する部分に形成されたスリット６は、カード部４を切り取る際に指でそのスリット６の角部分を摘んでめくり上げることで、切り取りミシン目５から切り取りやすくするために設けられている。
【００１９】
また、第１基材シート３の第１の紙片３ａと第２の紙片３ｂの裏面には、その第１の紙片３ａと第２の紙片３ｂの２つの紙片を合わせた大きさと略同じ大きさを有する第２基材シート７が重ね合わされ、接着剤８により接着一体化されている。
但し、その接着剤８は、第１の紙片３ａの外周の三周縁部分には設けられていない。
この第１の紙片３ａの外周の三周縁部分は、図３に示すように、この第１の紙片３ａの外周の三周縁部分の裏面に離型剤層９が設けられ、その離型剤層９の下側に重なり合う第２基材シート７の表面側には粘着剤層１０が設けられている。
第１の紙片３ａには、離型剤層９が設けられた部分に沿って、その内側に離型剤層９が設けられた部分を分離するためのスリット１６が形成されている。
【００２０】
この第２基材シート７において、この折り部１７に対して左側の部分を第１の紙片７ａとし、また、右側の部分を第２の紙片７ｂとして説明する。
第２基材シート７には、第１基材シート３のミシン目が形成された折り部２ａと重なる部分に、ミシン目が形成された折り部１７を有する。
第２基材シート７の第２の紙片７ｂには、第１基材シート３の第２の紙片３ｂに形成された切り取り用ミシン目５及びスリット６と重なる部分にスリット１８が形成されている。
【００２１】
また、第３の紙片３ｃの裏面には、前記第３の紙片３ｃと略同じ大きさを有するラミネート用基材１１が擬似接着剤層１２を介して接着されている。
この擬似接着剤層１２に使用する接着剤としては、例えば、シリコーンを添加した紫外線硬化型オフセットインキとアクリル系エマルション型接着剤の構成や、鉱油を添加したエステル系樹脂、パラフィンワックスを添加したアクリル酸エステル系樹脂などを使用することができる。
そして、ラミネート用基材１１の裏面には、粘着剤層１３が設けられ、更に前記粘着剤層１３の裏面には、表面に離型剤層１４が設けられた剥離用シート１５が剥離可能に貼付されている。
ラミネート用基材１１には、第３の紙片３ｃから剥離用シート１５を剥離させ、前記折り部２ｂから前記第３の紙片３ｃを前記第２の紙片３ｂの裏面側に折り畳んだ状態とした場合に、第２の紙片３ｂに形成された切り取り用ミシン５と重なる部分にそれぞれスリット１６が形成されている。
【００２２】
また、第１基材シート３と第２基材シート７には、折り部２ａ，２ｂから第１の紙片３ａと第２の紙片３ｂと第３の紙片３ｃをＺ状に重ね合わせて、粘着剤層１０，１３により接着させた場合に、重ね合わせた三周縁部分を切り取るための切り取りミシン目１９，２０が縦横方向に複数形成されている。
【００２３】
次に、本発明の実施形態に係るカード付き封書用シート１の使用方法について説明する。
まず、図１に示すように、第１基材シート３の第３の紙片３ｃの表面に宛先の住所、氏名、郵便番号などの宛先情報２１を記載する。
そして、図５及び図６に示すように、第３の紙片３ｃの裏面側に接着されている剥離用シート１５を離型剤層１４から剥離させる。
更に、第３の紙片３ａのスリット１６から外側の部分を粘着剤層１０から剥離させる。
【００２４】
次に、図７に示すように、第１基材シート３の折り部２ａと、第２基材シート７の折り部１７とから、第１の紙片３ａ，７ａを折り曲げて、第２の紙片３ｂの上面側に重ね合わせ、第２基材シート７の粘着剤層１０により接着させる。
また、第１基材シート３の第３の紙片３ｃを折り部２ｂから下方側に折り曲げて、第２基材シート７の第２の紙片７ｂの裏面側に、粘着剤層１３により接着させる。
これにより、Ｚ状に折り畳まれて、接着された封書が作成される。
そして、その封書をポストに投函するなどして郵送する。
【００２５】
次に、その封書の受取人の処理について説明する。
図８に示すように、Ｚ状に折り畳まれて、接着された封書の受取人は、図９に示すように、封書の三周縁部分を切り取るための切り取りミシン目１９，２０から切り取り、重ねられた第１基材シート３の第１の紙片３ａを第２の紙片３ｂから見開く。
次に、図９及び図１０に示すように、第２の紙片３ｂに設けられたカード部４を切り取るために、カード部４の角部分に該当する部分に形成されたスリット６の角部分を指で摘んでめくり上げ、切り取りミシン目５からカード部４を切り取る。
【００２６】
この際に、第１基材シート３の第２の紙片３ｂの下側には、接着剤層８により第２基材シート７の第２の紙片７ｂと接着され、更にその第２の紙片７ｂの下側には、粘着剤層１３によりラミネート用基材１１と接着され、更にラミネート用基材１１の下側には、擬似接着剤層１２を介して第１基材シート３の第３の紙片３ｃが接着されているので、カード部４の角部分に形成されたスリット６の角部分を指で摘んでめくり上げた際に、図９に示すように、擬似接着剤層１２の部分から上側に重ねられている部分が一体となって剥離されることになる。
したがって、擬似接着剤層１２から剥離されたカード部４は、２つの基材シートとラミネート用基材１１の３つの基材が接着された構成からなる丈夫なカードとして構成される。
【００２７】
上記のように、本発明のカード付き封書用シート１は、大量のカードを郵送で発行する場合に限らず、必要に応じて少量のカードの発行を行う場合に、簡単にカードの発行郵送処理を行えるだけでなく、カードの部分も丈夫に構成されているので、長持ちできるカードの発行を行えるというメリットがある。
【符号の説明】
【００２８】
１  カード付き封書シート
２ａ，２ｂ，１７  折り部
３  第１基材シート
３ａ，７ａ  第１の紙片
３ｂ，７ｂ  第２の紙片
３ｃ  第３の紙片
４  カード部
５，１９，２０  切り取りミシン目
６，１６，１８  スリット
７  第２基材シート
８  接着剤
９，１４  離型剤層
１０，１３  粘着剤層
１１  ラミネート用基材
１２  擬似接着剤層
１５  剥離用シート
２１  宛先情報
【図１】
0005673930.tif 000002
【図２】
0005673930.tif 000003
【図３】
0005673930.tif 000004
【図４】
0005673930.tif 000005
【図５】
0005673930.tif 000006
【図６】
0005673930.tif 000007
【図７】
0005673930.tif 000008
【図８】
0005673930.tif 000009
【図９】
0005673930.tif 000010
【図１０】
0005673930.tif 000011